(57)【特許請求の範囲】
【請求項１】
薬物送達デバイスの少なくとも１つのセクションを収容するための、又は前記少なくとも１つのセクションを少なくとも１つの移動方向に制限するためのクランプマウント（３００）であって、前記薬物送達デバイスが、送達されるべき薬物溶液又は薬物物質用の収容室を特徴とし、前記クランプマウント（３００）が少なくとも１つの締結デバイス（３０５）を特徴とし、前記締結デバイス（３０５）が、前記薬物送達デバイスの前記セクションの少なくとも一部を収容する又は制限するために設けられた少なくとも１つの凹所（３０７）を特徴とする、クランプマウント（３００）において、
前記凹所（３０７）又は前記凹所（３０７）の少なくとも１つのセクションが、それ自体と前記締結デバイス（３０５）の凹設されていないセクションとの間のアーチ状若しくは曲線状の境界を特徴とすること、並びに／或いは、前記凹所（３０７）又は前記凹所（３０７）の少なくとも１つのセクションがアーチ形状又は曲線形状であり、
前記凹所（３０７）は、溝として具現化されており、
前記凹所（３０７）のセクションは、薬物伝達を目的とする薬物伝達デバイスの移動方向と平行な面内で薬物用の送達開口部への方向に凸状であり、かつ、反対方向において、凹状であることを特徴とする、クランプマウント（３００）。
【請求項２】
前記薬物送達デバイスがシリンジ（４００）であり、前記薬物送達デバイスの前記セクションが、前記薬物を送達する目的で前記シリンジ（４００）内を移動できるピストン（４０１）である、請求項１に記載のクランプマウント（３００）。
【請求項３】
特に、前記締結デバイス（３０５）によって前記薬物送達デバイスのセクションの移動が制限される前記薬物送達デバイスの前記セクションを用いて、前記薬物送達デバイスが前記薬物送達デバイスの使用状態で上に載る支持体（３０１）を特徴とし、前記支持体（３０１）が、該支持面から前面又は外側面への少なくとも１つの移行部に半径（Ｒ）の丸い部分を有する、請求項１又は請求項２に記載のクランプマウント（３００）。
【請求項４】
前記締結デバイス（３０５）が、曲線又は円弧（３１１）或いは曲線若しくはアーチ形状で境界を定められた領域を特徴とする少なくとも１つの前方領域又は前面（３０９）を有する、請求項１〜３のいずれか一項に記載のクランプマウント（３００）。
【請求項５】
前記締結デバイス（３０５）が、ばね部材で構成されていることを特徴とする又は前記ばね部材に連結される、及び／又は前記締結デバイス（３０５）が、弾性材料からなる又は弾性材料に連結される、請求項１〜４のいずれか一項に記載のクランプマウント（３００）。
【請求項６】
前記セクションを収容するための２つの締結デバイス（３０５）を備える、請求項１〜５のいずれか一項に記載のクランプマウント（３００）。
【請求項７】
前記締結デバイス（３０５）が、クランプジョーとして具現化される、請求項１〜６のいずれか一項に記載のクランプマウント（３００）。
【請求項８】
前記凹所（３０７）は、前記凹所（３０７）の上方の前記締結デバイス（３０５）の第１の横断面が、前記凹所（３０７）の下方の前記締結デバイス（３０５）の第２の横断面と同じ形状を有するように、前記締結デバイス（３０５）内又は前記締結デバイス（３０５）上に設けられる、請求項１〜７のいずれか一項に記載のクランプマウント（３００）。
【請求項９】
少なくとも１つの請求項１〜８のいずれか一項に記載のクランプマウント（３００）を特徴とする、医療用溶液又は医療用物質を投与するための投与装置（１００）。
【請求項１０】
少なくとも１つの請求項１〜８のいずれか一項に記載のクランプマウント（３００）、又は請求項９に記載の投与装置（１００）を特徴とする、患者の血液を体外処理するための血液処理装置（５００）。
【請求項１１】
緊急用透析器として具現される、請求項１０に記載の血液処理装置（５００）。
【請求項１２】
透析器として具現される、請求項１０又１１に記載の血液処理装置（５００）。
【請求項１３】
血液透析装置、血液ろ過装置又は血液透析ろ過装置として具現される、請求項１２に記載の血液処理装置（５００）。
【発明の詳細な説明】
【技術分野】
【０００１】
本発明は、請求項１に記載のクランプマウントに関する。本発明はさらに、請求項７に記載の投与装置及び請求項８に記載の血液処理装置に関する。
【背景技術】
【０００２】
投与装置は医療行為から知られている。この種の投与装置には、血液透析などの血液処理中に体外で加えられるヘパリンといった医療用液状流体が入っているシリンジ又は別の薬物送達デバイスが挿入される。流体は、必要に応じて又は設定に応じて投与装置によって送達される。
【発明の概要】
【発明が解決しようとする課題】
【０００３】
本発明の一目的は、上記の種類とは別のクランプマウントを提案することである。
【課題を解決するための手段】
【０００４】
本発明による上記目的は、請求項１の特徴を有するクランプマウントによって達成される。
【０００５】
本発明によるクランプマウントは、薬物送達デバイスの少なくとも１つのセクションを医療用投与装置（以後、簡単に投与装置とも称される）内に収容するために、又はそのセクションを少なくとも１つの移動方向に制限するために設けられる。薬物送達デバイスは、送達されるべき薬物溶液又は薬物物質用の収容室を特徴とする。クランプマウントは、セクションを支持し限定し収容するために、薬物送達デバイスのセクション又はセクションの一部の移動性を制限するために、且つ／又はセクションを移動させるために設けられた少なくとも１つの締結デバイスを特徴とする。締結デバイスは、薬物送達デバイスのセクション又はセクションの一部を収容又は制限するために設けられた少なくとも１つの凹所を特徴とする。
【０００６】
凹所は、凹所自体と締結デバイスの他のセクション又はセクションに隣接する締結デバイスのセクションとの間の境界を特徴とする、或いは、凹所は縁部を特徴とするか、又は縁部を呈する。凹所、境界、及び／又は縁部若しくは縁部の一部はそれぞれ、アーチ状、曲線状、屈曲状などである。
【０００７】
本発明による目的は、本発明による少なくとも１つのクランプマウントを特徴とする、請求項７の特徴を有する投与装置によっても達成される。
【０００８】
本発明による目的は、本発明による少なくとも１つのクランプマウント、又は本発明による少なくとも１つの投与装置を特徴とする、請求項８の特徴を有する血液処理装置によっても達成される。
【０００９】
本発明の有利な発展形態及び特定の設計はそれぞれ、独立請求項及び諸実施形態の主題である。
【００１０】
本発明による諸実施形態は、以下で述べられる特徴のうちの１つ又は複数を有することができる。
【００１１】
以下の諸実施形態のすべてにおいて、「〜とすることができる」又は「〜を有することができる」などの語句の使用は、それぞれ「〜であることが好ましい」又は「〜を有することが好ましい」などと同義語として理解されるべきであり、本発明によるいくつかの実施形態を説明するためのものである。
【００１２】
凹所、境界、縁部又は縁部の一部の円弧又は曲線がいくつかの実施形態に示されているが、円弧又は曲線の進路はすべて、全体として又は全体の少なくとも一部の領域にわたってまっすぐ以外の状態である、即ちまっすぐではない。
【００１３】
本発明によるクランプマウントの締結デバイス内の凹所は、薬物送達デバイスのセクションの移動性を限定する働きをする。したがって、例えば、セクションの軸線方向の移動性は凹所によって限定され得る。例えば、締結デバイスは、シリンジピストンの望ましくない軸線方向の移動性を抑制することができる。この目的のために、前述のセクションは、薬物送達デバイスを締結デバイス内に又は締結デバイスを用いて締結する間に、凹所内に導入され且つ／又は凹所によって制限され、下に導入され又は押された後で、締結デバイスと共にセクションの軸線方向にのみシフトされる又は動かされ得る。
【００１４】
しかしながら、この場合、凹所は、例えば溝とすることができることが当業者には明らかである。凹所のこの特定の実施形態は、前述のセクションの望ましくない動きが両軸線方向に（例えば、後方にも前方にも）制限され得るという利点を有する。さらに、セクションを両軸線方向に案内する又は能動的に動かすことが溝によって可能となり得る。溝は、遊びのない限定又は制限を容易に確実にすることができる。
【００１５】
しかし、当業者には、凹所が凹所の目的を果たすために溝である必要はないことも明らかである。むしろ、少なくとも一方の軸線方向の溝による効果は、シリンジのピストンの例にこだわると、段差又は出っ張りを設けることによって達成されることもできる。したがって、当業者は、以後「凹所」と書いてあれば同時に、凹所を段差、溝、出っ張りなどとして設計する可能性を読み取る。本発明によるいくつかの実施形態では、凹所は溝として設計され、その他では出っ張りとして設計され、またさらにその他の実施形態では縁部又は出っ張りなどとして設計される。
【００１６】
本発明のいくつかの実施形態では、凹所は、凹所の上方の締結デバイスの第１の横断面が凹所の下方の締結デバイスの第２の横断面と同じ形状を有するように、締結デバイス内に又は締結デバイス上に設けられる。したがって、これらの実施形態では、凹所は分断を表すことができ、締結デバイスの（例えば、締結デバイスの前端に向かう）境界を表してはいない。
【００１７】
本発明によるいくつかの実施形態では、締結デバイスはクランプジョーとして具現される。
【００１８】
本発明によるいくつかの実施形態では、締結デバイスは少なくとも１つのばねを特徴とするか、或いは、締付け効果をもたらす又は締付け効果に寄与するようなものに連結される。
【００１９】
本発明によるいくつかの実施形態では、締結デバイスは、材料の弾性によって締付け効果をもたらす又は締付け効果に寄与するために、弾性材料からなる又は弾性材料に連結されることを特徴とする。
【００２０】
凹所は、本発明によるいくつかの実施形態では、締結デバイスの深さ全体にわたって延びるように設計される。本発明による他の実施形態では、凹所は、締結デバイスの深さの一部だけにわたって延びるように設計される。
【００２１】
本発明によるいくつかの実施形態では、凹所若しくは境界は、完全に又は凹所若しくは境界の少なくとも一部の領域で曲線状又はアーチ状にされる、或いは、別の方法でまっすぐな進路又は方向から曲げられる又はそれる。本発明によるいくつかの実施形態におけるまっすぐな方向からそれるのは、もっぱら又は追加として、締結デバイスによってセクションの移動性が限定される、セクションの移動方向と平行な面に関係する。まっすぐな方向からそれるのは、締結デバイスによってセクションの移動性が限定される、セクションの移動方向と平行な面内の境界の進路が、セクション（例えばシリンジピストンとして設計され得るセクション）の方へ凹状であるとともに、薬物用の送達開口部からの方向に凸状であるようなものとすることができる。
【００２２】
薬物送達デバイスのセクションは、薬物送達デバイスの残りの部分又は薬物送達デバイスの他セクションに対して移動できるように配置されたセクションとすることができる。薬物送達デバイスのセクションは、例えば、投与する目的で移動可能にするために設けられることができる。
【００２３】
本発明によるいくつかの実施形態では、薬物送達デバイスはシリンジであり、薬物送達デバイスのセクションは、薬物を送達する目的でシリンジ内をシフトできる又は移動できるピストンである。
【００２４】
本発明によるいくつかの実施形態では、クランプマウントは、薬物送達デバイスが使用状態で且つ／又は薬物送出時に薬物送達デバイスが上に載る支持体を特徴とする。特に、薬物送達デバイスは、締結デバイスによって薬物送達デバイスのセクションの移動性が限定される薬物送達デバイスのセクションと共に、上記支持体上に載ることができる。支持体は半径（Ｒ）の丸い部分を有し、支持体には、支持面から前面又は外側面への少なくとも１つの移行部に前記半径（Ｒ）程度又は前記半径（Ｒ）未満の丸みが付けられている。
【００２５】
本発明によるいくつかの実施形態では、締結デバイスは、曲線又は円弧、或いは曲線形状又はアーチ形状で境界を定められた領域を特徴とする少なくとも１つの前方領域又は前面を有する。
【００２６】
本発明によるいくつかの実施形態では、クランプマウントは、セクションを収容するための少なくとも２つ又はちょうど２つの締結デバイスを特徴とする。締結デバイスは、特に同等又は同一になるように設計され得るが、締結デバイスは、（例えば、左側締結デバイス又は右側締結デバイスとして、或いは別のデバイスとして）異なるように設計されることもできる。
【００２７】
本発明によるいくつかの実施形態では、薬物送達デバイスの中身を送出するための薬物送達デバイスのノズル又は開口部はねじ山を有して設計される。ねじ山は、チューブ（例えば、注入チューブ）、中空針（カニューレ）、カテーテル、三方コックなどに連結されるために設けられることができる。ねじ山は、標準化連結システム（特に、ルアーロック）として設計されることができる。
【００２８】
本発明によるいくつかの実施形態では、投与装置又は薬物送達デバイスは、抗凝固溶液を運ぶために、特に、クエン酸塩溶液又はカルシウム溶液、さらにヘパリン溶液を運ぶために設けられる。
【００２９】
本発明によるいくつかの実施形態では、血液処理装置は、特に緊急透析用の透析装置、具体的には、血液透析装置、血液ろ過装置、血液透析ろ過装置などである。
【００３０】
本発明によるいくつかの実施形態は、下記利点のうちの１つ又は複数を特徴とする。
【００３１】
本発明によるいくつかの実施形態では、例えば、投与装置又は処理装置からシリンジを外す確実な除去が、それによる損傷を恐れる理由なしに可能である。この状況での確実な除去は、本質的に予期される警告又は注意義務を適用しない除去であるものとして理解される。後者の確実な除去は、特に、時間的制約下で行われる除去時に観察されることができる。例えばシリンジピストンの詰まり又はくさび作用は、そのせいでシリンジピストンが投与装置のハンドルの支持体内でそれ以上動かなくなるものであるが、本発明により有利に防止される。少なくとも、詰まり又はくさび作用の確率は低減されることができる。この利点は、セクションが凹所の特定の幾何形状により有利に傾斜され得るという点で支持される。
【００３２】
本発明によれば、ユーザは、例えば、１つ又は複数の締結デバイスを別々に解放又は開放する必要はない。むしろ、締結デバイスのアーチ状凹所を有する特定の幾何形状により、セクションが投与装置から引き抜かれるときに、薬物送達デバイスのセクションから締結デバイスを自動的且つ滑らかに解放することが可能になる。
【００３３】
この有利な効果は、締結デバイスの前面の円弧によって高められることができる。
【００３４】
本発明による締結デバイスは、様々なサイズ及びタイプの薬物送達デバイスを収容するのに適しており有利である。したがって、例えば、容積３０ｍｌのシリンジ及び容積５０ｍｌのシリンジが使用されることができる。これらのシリンジはすべて、上述したロバスト方法で同等に問題なく投与装置から除去される又は取り外されることができる。このことは、１つの製造業者のシリンジだけに限定されない。実際、異なる製造業者の製品が使用されることもできる。
【００３５】
本発明により、一方では、例えば、投与装置からシリンジを容易に解放することが可能になる。他方では、本発明によるクランプマウントは、例えばシリンジのピストンを安全に保持することができ、シリンジのピストンが例えば投与装置のハンドルからの不必要な分離を防止することもできる。
【００３６】
以後、本発明は添付図面の図によって例示的に説明され、添付図面では、同一参照番号は同じ構成要素又は同一構成要素を指す。
【図面の簡単な説明】
【００３７】
【図１ａ】本発明による投与装置の側面図である。
【図１ｂ】図１ａの投与装置の斜視図である。
【図２ａ】シリンジをシリンジの使用時配置に取り付けた、図１ａに描かれている先の図の投与装置を示す図である。
【図２ｂ】シリンジをシリンジの使用時配置に取り付けた、図１ｂに描かれている先の図の投与装置を示す図である。
【図３ａ】投与装置からシリンジを除去中の、図２ａに描かれている先の図の投与装置を示す図である。
【図３ｂ】投与装置からシリンジを除去中の、図２ｂに描かれている先の図の投与装置を示す図である。
【図４】本発明によるクランプマウントの別の態様の断面図である。
【図５】図１ｂの説明図の拡大詳細図である。
【図６】図４の断面の上面図である。
【発明を実施するための形態】
【００３８】
図１ａに、本発明による投与装置１００（又は少なくとも投与装置１００に最も関連性のある構成要素）の側面図で示す。図１ｂに、図１ａの投与装置の斜視図を示す。一方の側面からの図と他方の遠近法による図との間のわずかな尺度のずれが考えられる。
【００３９】
投与装置１００は、薬物送達デバイスの一実施例として図１ａ及び図１ｂには示されていないシリンジ用の（図の説明に関連する）上部マウント２０１を特徴とする。上部マウント２０１は、支持体又は取入れ口２０３とブラケット２０５とを備える。
【００４０】
投与装置１００はさらに、本発明によるクランプマウント３００として設計された、下部マウントとしてのハンドルを特徴とする。クランプマウント３００は、ここには示されていないシリンジがシリンジの使用状態中、上にマウントすることができる支持体３０１を特徴とする。支持体３０１は半径（Ｒ）の丸い部分を有し、支持体３０１は、支持体３０１の狭い側又は狭い部分のところに半径（Ｒ）未満の湾曲した形で傾斜している。支持体３０１が自然に傾斜している曲線は、ここには単一半径が示されているが、必ずしも単一半径を示して記載される必要はない。幾何学的円弧又は曲線の数学的定式化はさらに複雑になり得る。
【００４１】
支持体３０１上にマウントする、ここには示されていないシリンジのピストン即ちシリンジピストンは、以後諸図で認識され得るように、薬物送達デバイスのセクションの一実施例として、少なくとも１つの締結デバイス３０５によって支持される又は少なくともある自由度に制限される。
【００４２】
実際、図１ａ及び図１ｂにはそれぞれ１つの締結デバイス３０５しか示されていない。一方、このことは、特に凹所３０７をうまく説明するのに役立つ。クランプマウント３００は、ただ１つの締結デバイス３０５より多い締結デバイス３０５を特徴とし得ることは明らかである。例えば、図示の締結デバイス３０５に面する第２の締結デバイスが設けられてもよい。さらに、本発明によるいくつかの実施形態では、第３の締結デバイス（同様にこの場合も他の締結デバイス）が設けられてもよい。他方、ただ１つの締結デバイス３０５の説明は、図１ａ又は図１ｂのように、当業者が、本発明によるいくつかの実施形態での本発明によるクランプマウント３００が必ずただ１つの締結デバイス３０５と共に使用され得ることを認識するのに役立つ。このような実施形態では、限界ストップ、段差、カウンタベアリングなどが設けられてもよく、これらを用いて、例えばシリンジのピストン上に存在する１つの締結デバイス３０５の締付け効果が生成されてもよい。
【００４３】
さらに、溝として具現される凹所３０７は容易に認識することができる。凹所３０７は、締結デバイス３０５の材料又は幅の中に設けられる。ただ１つの締結デバイス３０５より多い締結デバイス３０５が設けられる場合、そうした凹所は、複数締結デバイスの１つ、それぞれ、又はいくつかにおいて具現されるだけでよい。
【００４４】
ただし、凹所３０７は、図１ａ及び図１ｂの投与装置１００の水平方向に（即ち、これらの２つの図では右から左の方向に）曲線を描いて延びており、まっすぐではない。図１ａ及び図１ｂに関連して、曲線は、上方に凸状であり下方に凹状である。図１ａから、凹所３０７は、締結デバイス３０５の全深さにわたって（即ち、図１ａの図では左から右へ）延びることが明らかである。しかしながら、他の実施形態では、凹所３０７は締結デバイス３０５の深さの一部だけにわたっても延びる。
【００４５】
締結デバイス３０５の前面３０９の曲線又は円弧３１１は、原理上図１ｂにおいてのみかろうじて認識され得るに過ぎないが、図１ａではそれほどではない。前面３０９の曲線はまた、前面３０９の上面図で、締結デバイス３０５のセクションの円弧をもたらす。認識可能な曲線により、前面３０９の幅は投与装置１００の中に向かう方向に狭くなっており、円弧を有していないセクションでは、前面３０９の幅は広くなっている。ここで説明される円弧３１１は凹所３０７の円弧とは無関係である。
【００４６】
図２ａ及び図２ｂに、図１ａ及び図１ｂの投与装置１００を示す。図２ａ及び図２ｂは、追加としてシリンジ４００が薬物送達デバイスの一実施例として示されているという点だけ図１ａ及び図１ｂの説明図と異なる。シリンジ４００は、図２ａ及び図２ｂに示されているシリンジ４００又は投与装置１００の使用時配置で、支持体３０１上に載る又はマウントするシリンジピストン４０１（簡単にピストン４０１とも称される）を特徴とする。シリンジ４００の別のセクション４０３では、セクション４０３はさらにブラケット２０５上にマウントする。シリンジ４００はノズル又は開口部４０５を備える。
【００４７】
凹所３０７は、シリンジ４００が投与装置１００に挿入されたり投与装置１００から取り出されたりしているときに、シリンジ４００が傾斜したり又はねじれたりする余地がある。
【００４８】
シリンジ４００の最初のねじれ運動で、ピストン４０１は半径（Ｒ）未満の支持体３０１に押し付けられる。ピストン４０１又はシリンジ４００がピストン４０１又はシリンジ４００の軸線を中心に傾斜し続けると、ピストン４０１の外縁部又は周囲が、締結デバイス３０５を前面３０９の円弧にわたってばね効果に逆らって開位置に押し込む。
【００４９】
図３ａ及び図３ｂにそれぞれ、投与装置１００からシリンジ４００を除去中の、図２ａ及び図２ｂに描かれている先の図の投与装置１００を示す。
【００５０】
シリンジ４００のピストン４０１は、支持体３０１の半径（Ｒ）の丸い部分上に転動され得る又は緩やかに傾斜され得ることがよく認識できる。
【００５１】
ピストン４０１の周囲は、ピストン４０１の傾斜時に前面３０９のアーチ状凹所内に収まり得ることがさらによく認識できる。凹所の円弧部は、傾斜時に異なる直径で凹所の高さに進入するピストンに合致し、締結デバイス３０５がばね効果に逆らって外方へ押されるようにする滑らかな上昇をもたらすことができる。
【００５２】
図４に、本発明によるクランプマウント３００の一部の断面図を示し、この部分は、図４では、それぞれが１つのアーチ状凹所３０７を有する２つの対向する締結デバイス３０５を有する。凹所３０７はそれぞれ、各前面３０９の下に延びる。前面３０９の円弧３１１は両方の締結デバイス３０５上にあることがわかる。
【００５３】
図５に、図１ｂの説明図の拡大詳細図を示す。
【００５４】
図６に、図４の断面の上面図を示す。前面３０９の円弧３１１が、両方の締結デバイス３０５においてよく認識できる。
【００５５】
図４の説明図に加えて、本発明による血液処理装置５００のハウジングの一部の断面図が図６に示されている。
【符号の説明】
【００５６】
１００  投与装置
２０１  上部マウント
２０３  取入れ口又は支持体
２０５  ブラケット
３００  クランプマウント
３０１  支持体
３０５  締結デバイス
３０７  凹所
３０９  前面
３１１  前面３０９の円弧
４００  シリンジ
４０１  ピストン
４０３  シリンジ４００のセクション
４０５  シリンジ４００のノズル又は開口部
５００  血液処理装置
Ｒ  支持部３０１の半径（Ｒ）の丸い部分
【図１ａ】
0005976679.tif 000002
【図１ｂ】
0005976679.tif 000003
【図２ａ】
0005976679.tif 000004
【図２ｂ】
0005976679.tif 000005
【図３ａ】
0005976679.tif 000006
【図３ｂ】
0005976679.tif 000007
【図４】
0005976679.tif 000008
【図５】
0005976679.tif 000009
【図６】
0005976679.tif 000010